(57)【要約】【課題】本発明は、被看護者が意図的に吹き付けた呼気を検出しやすいセンサヘッドを有したナースコール子機を提供する。【解決手段】ナースコール子機１は、本体２に固定される基端３ａから先端３ｂまでの途中を自在に湾曲させた状態に維持して被看護者の口元に先端３ｂが位置決めされるフレキシブルアーム３と、フレキシブルアーム３の先端３ｂに回動可能に基端４ａが支持されるセンサヘッド４と、センサヘッド４の回動中心線Ａと同軸にセンサヘッド４の先端４ｃに配置されて回動中心線Ａに対して全方位から接触可能に検出面６ａが形成される接触センサ６と、センサヘッド４に内蔵されて呼気の風圧を検出する検出部７ａが回動中心線から半径方向の外向きに設けられるブレスセンサ７と、センサヘッド４の外表面から検出部７ａに向けて凹設された窪み４ｅとを備える。【選択図】      図１
2005152047.tif 000002
【特許請求の範囲】
【請求項１】
本体に固定される基端から先端までの途中を自在に湾曲させた状態に維持して被看護者の口元に前記先端が位置決めされるフレキシブルアームと、
前記フレキシブルアームの先端に回動可能に基端が支持されるセンサヘッドと、
前記センサヘッドの回動中心線と同軸に前記センサヘッドの先端に配置されて前記回動中心線に対して全方位から接触可能に検出面が形成される接触センサと、
前記センサヘッドに内蔵されて呼気の風圧を検出する検出部が前記回動中心線から半径方向の外向きに設けられるブレスセンサと、
前記センサヘッドの外表面から前記検出部に向けて凹設された窪みと
を備えることを特徴とするナースコール子機。
【請求項２】
前記ブレスセンサは、圧力センサと音センサとを兼ねるコンデンサ型マイクロフォンであることを特徴とする請求項１に記載のナースコール子機。
【請求項３】
前記回動中心線を中心に前記フレキシブルアームの先端の外周に設けられる円環状の嵌合溝と、
前記センサヘッドの基端に設けられて前記嵌合溝に隙間を有して外嵌する円環状の嵌合凸部と、
前記隙間に装着されて前記嵌合溝と前記嵌合凸部とのそれぞれに接するＯリングと
を備えることを特徴とする請求項１または請求項２に記載のナースコール装置。
【発明の詳細な説明】
【技術分野】
【０００１】
本発明は、被看護者が看護者を呼び出す場合に使用されるナースコール装置の子機であって、アームの先端に複数のセンサを備えるナースコール子機に関する。
【背景技術】
【０００２】
被看護者の中には、意識があっても、自力で起き上がったり手足を動かしたりすることのできない様態の方もいる。このような方々が看護者を呼び出すために、接触式のセンサを備えるナースコール子機や、ストローによって吹き込まれた呼気の圧力を検出する圧力センサを備えるナースコール子機がある（例えば、特許文献１参照。）。
【０００３】
接触式センサを備えるナースコール子機は、姿勢を自在に変えることのできるアームを備えており、このアームの先端に設けられた接触式センサを被看護者が自分の意志で動かせる部位の近傍に位置決めする。また、圧力センサを備えるナースコール子機は、呼気を吹き込むストローの先端を自在アームによって被看護者の口元の近くに保持している。
【特許文献１】特願平８−１１７２９６号公報
【発明の開示】
【発明が解決しようとする課題】
【０００４】
呼気でナースコールを行なう場合、ストローを咥えなければならず、唾液などがストローに入ってしまうこともあるため、長期間使用するには不衛生である。また、口元に圧力センサを配置し、直接呼気を吹きかけるようにした場合、検出部の向きが悪かったり吹き方が悪かったりすると、圧力センサが十分に呼気の圧力を検出することができないこともある。この場合、圧力センサの感度を高くすると、通常の呼吸や深呼吸などしたときの呼気まで検出してしまう可能性がある。
【０００５】
そこで、本発明は、被看護者が意図的に吹き付けた呼気を検出しやすいセンサヘッドを有したナースコール子機を提供することを目的とする。
【課題を解決するための手段】
【０００６】
本発明に係るナースコール子機は、本体に固定される基端から先端までの途中を自在に湾曲させた状態に維持して被看護者の口元に先端が位置決めされるフレキシブルアームと、フレキシブルアームの先端に回動可能に基端が支持されるセンサヘッドと、センサヘッドの回動中心線と同軸にセンサヘッドの先端に配置されて回動中心線に対して全方位から接触可能に検出面が形成される接触センサと、センサヘッドに内蔵されて呼気の風圧を検出する検出部が回動中心線から半径方向の外向きに設けられるブレスセンサと、センサヘッドの外表面から検出部に向けて凹設された窪みとを備える。また、ナースコールを行なう方法の選択肢を増やすために、ブレスセンサは、圧力センサと音センサとを兼ねるコンデンサ型マイクロフォンを用いる。
【０００７】
センサヘッドを設定した回動角度にがたつき無く保持するために、回動中心線を中心にフレキシブルアームの先端の外周に設けられる円環状の嵌合溝と、センサヘッドの基端に設けられて嵌合溝に隙間を有して外嵌する円環状の嵌合凸部と、隙間に装着されて嵌合溝と嵌合凸部とのそれぞれに接するＯリングとを備える。
【発明の効果】
【０００８】
本発明に係るナースコール子機によれば、フレキシブルアームの先端にセンサヘッドが回動可能に支持されており、センサヘッドの回動中心と同軸にセンサヘッドの先端に接触センサが配置されているとともに、検出部がセンサヘッドの回動中心線に対して半径方向外向きに設けられるブレスセンサがセンサヘッドに内蔵されている。したがって、接触センサの位置を変えることなく、ブレスセンサの検出部の向きを微調整することができる。そして、センサヘッドの外表面からブレスセンサの検出部に向かって凹設された窪みを備えているので、意図的に吹き付けられた呼気を検出しやすい。
【０００９】
また、ブレスセンサとして圧力センサと音センサとを兼ねるコンデンサ型マイクロフォンを用いているので、呼気の風圧を検出するほかに、被看護者の声を検出してナースコールを行なったり、ナースコール装置の親機側にいる看護者と通話するためのマイクロフォンとして使用したりすることができる。
【００１０】
さらに、フレキシブルアームの先端の外周に回動中心線を中心とする円環状の嵌合凸部を設け、センサヘッドの基端に嵌合溝と隙間を有して外嵌する円環状の嵌合凸部を設け、嵌合溝と嵌合凸部との間の隙間に嵌合溝と嵌合凸部とのそれぞれに接するＯリングを装着するナースコール子機によれば、がたつくこと無くセンサヘッドを設定した回動角度に保持することができる。
【発明を実施するための最良の形態】
【００１１】
本発明に係る一実施形態のナースコール子機１について、図１および図２を参照して説明する。図１に示すように、ナースコール子機１は、本体２とフレキシブルアーム３とセンサヘッド４とを備える。本体２は、被看護者の頭部の周辺に置かれる台などに据えられる。フレキシブルアーム３は、基端３ａから先端３ｂまでの途中を自在に湾曲させた状態に維持することができる。フレキシブルアーム３の基端３ａは、本体２の上部２ａに固定され、先端３ｂは、被看護者の口元に位置決めされる。
【００１２】
また、フレキシブルアーム３の先端３ｂには、センサヘッド４の基端４ａが回動可能に支持されている。図２に示すように、フレキシブルアーム３の先端３ｂの外周には、センサヘッド４の回動中心線Ａを中心とする円環状の嵌合溝３ｃが形成されている。センサヘッド４の基端４ａの内側には、嵌合溝３ｃと隙間を有して外嵌する円環状の嵌合凸部４ｂが形成されている。そして、嵌合溝３ｃと嵌合凸部４ｂとの間の隙間には、嵌合溝３ｃおよび嵌合凸部４ｂのそれぞれに接するＯリング５が装着されている。
【００１３】
センサヘッド４には、図２に示すように、接触センサ６とブレスセンサ７と光学式センサ８と確認灯９とが実装された基板１０が内蔵されている。接触センサ６の検出面６ａは、センサヘッド４の先端４ｃに露出しており、センサヘッド４の回動中心線Ａに対して、全方位から接触できるように形成されている。本実施形態においては、検出面６ａは、回動中心線Ａに沿う円筒面と、この円筒面の先端に連続する半球面とで構成されている。なお、検出面６ａは、球状またはドーム状に形成されていても良い。
【００１４】
ブレスセンサ７の検出部７ａと光学式センサ８の投光部８ａおよび受光部８ｂと確認灯９とは、センサヘッド４の胴部４ｄに、回動中心線Ａから半径方向の外向きに設けられている。センサヘッド４の胴部４ｄの外表面には、ブレスセンサ７の検出部７ａに向かって窪み４ｅが形成されている。つまり、ブレスセンサ７の検出部７ａは、窪み４ｅの最深部に配置されている。窪み４ｅは、呼気の風圧を中心に集中させる放物凹面状に形成されている。
【００１５】
ブレスセンサ７の検出部７ａには、コンデンサ型マイクロフォンを使用しており、被看護者の呼気の風圧を検出するほか、音圧の変化を検出することができる。したがって、音量でナースコールを行なう音センサとして使用できるとともに、ナースコールを行なった後、ナースコール装置の本体側にいる看護者と会話するためのマイクロフォンとしても使用することができる。なお、コンデンサ型マイクロフォンの代わりに、圧電型マイクロフォンを使用しても良い。また、圧力センサとしての機能を有するものとして、半導体容量式圧力センサを用いても良い。
【００１６】
光学式センサ８は、投光部８ａと受光部８ｂとを備え、被看護者の口元や瞼など顔のわずかな動きを検出するために使用される。確認灯９は、センサヘッド４に設けられたいずれかのセンサが信号を検出してナースコールが行なわれたことを、点灯することによって被看護者に報知する。なお、本体２の上部２ａには、各センサの感度や検出時間を調整するボタン２ｂ及び調子されたセンサの感度や検出時間のレベルを表示する表示灯２ｃが配置されている。
【００１７】
以上のように構成されたナースコール子機１は、センサヘッド４がフレキシブルアーム３に回動可能に支持されているので、ナースコール子機１の本体２を移動させること無く、フレキシブルアーム３の先端３ｂを被看護者の口元に位置決めした状態、すなわち、接触センサ６の検出面６ａを位置決めした状態で、センサヘッド４を回動することによって、胴部４ｄに設けられたブレスセンサ７の検出部７ａや光学式センサ８の投光部８ａおよび受光部８ｂの向きを微調整することができる。つまり、接触センサ６の位置を維持した状態で、ブレスセンサ７や光学式センサ８など指向性センサの感度をより安定した状態に設定しやすい。
【００１８】
また、ブレスセンサ７の検出部７ａは、窪み４ｃの最深部に配置されているので、被看護者が意図的に吹き付ける呼気が検出部７ａに集中しやすく、吹き付ける角度の多少のずれや、呼気の風圧が弱い場合でも、呼気を確実に検出することができる。さらに、コンデンサ型マイクロフォンをブレスセンサ７の検出部７ａ使用しており、呼気でナースコールを行なった後、ナースコール装置の親機側にいる看護者との通話において、窪み４ｅによって音声が検出部７ａに集中するので、用件をより正確に伝えることができる。
【００１９】
なお、本実施形態において、フレキシブルアーム３とセンサヘッド４との連結部は、フレキシブルアーム３に嵌合溝３ｃを形成し、センサヘッド４に嵌合凸部４ｂを形成したが、フレキシブルアーム３に嵌合凸部を形成し、センサヘッドに嵌合溝を形成しても良い。
【図面の簡単な説明】
【００２０】
【図１】本発明に係る一実施形態のナースコール子機を示す斜視図。
【図２】図１の回動中心線に沿ってセンサヘッドの断面を示す斜視図。
【符号の説明】
【００２１】
１…ナースコール子機、２…本体、３…フレキシブルアーム、３ａ…基端、３ｂ…先端、３ｃ…嵌合溝、４…センサヘッド、４ａ…基端、４ｂ…嵌合凸部、４ｃ…先端、４ｅ…窪み、６…接触センサ、６ａ…検出面、７…ブレスセンサ、７ａ…検出部、Ａ…回動中心線。
【図１】
2005152047.tif 000003
【図２】
2005152047.tif 000004